(57)【要約】  【課題】家人が不在のときに玄関の屋外側に近づいた不審者に対して従来に比べて家人の不在をさとられにくくすることができ、且つ、家人の帰宅時や客の来訪時に家人や客に不快感を与えにくい照明制御システムを提供する。  【解決手段】屋内側の人感式自動スイッチＢの信号処理部（第２の信号処理部）３ｂは、動作モードとして防犯モードが設定されている場合、屋外側の人感センサ部（屋外側人感センサ部）１ａで発生した検出信号が信号線Ｌｓを介して受信したときの機能として、明るさセンサ部２ｂの出力には関係なく遅れ時間の時限後に出力駆動部（第２の出力駆動部）５ｂを制御して照明器具Ｌ２の照明負荷（屋内側照明負荷）を点灯させる機能と、音声メッセージ登録部たるメモリに予め登録されている応対用の音声メッセージを音声出力装置であるスピーカ６ｂから出力させる機能とを有している。【選択図】      図１
2006179310.tif 000002
【特許請求の範囲】
【請求項１】
玄関の屋外側に配置される屋外側照明負荷と、玄関の屋内側に配置される屋内側照明負荷と、屋外側照明負荷を駆動する第１の出力駆動部と、玄関の屋外側で規定の検知エリア内の人の存在を検出して検出信号を発生する屋外側人感センサ部と、屋外側人感センサ部の出力に基づいて第１の出力駆動部を制御する第１の信号処理部と、屋内側照明負荷を駆動する第２の出力駆動部と、玄関の屋内側で規定の検知エリア内の人の存在を検出して検出信号を発生する屋内側人感センサ部と、屋外側人感センサ部および屋内側人感センサ部の出力に基づいて第２の出力駆動部を制御する第２の信号処理部と、玄関の屋内側で音声を出力する音声出力装置と、応対用の音声メッセージを予め登録する音声メッセージ登録部とを備え、第２の信号処理部は、動作モードが防犯モードに設定されている状態において、屋外側人感センサ部で発生した検出信号を受信したときの機能として、所定の遅れ時間後に第２の出力駆動部を制御して屋内側照明負荷を点灯させる機能と、音声メッセージ登録部に登録されている応対用の音声メッセージを音声出力装置から出力させる機能とを有することを特徴とする照明制御システム。
【請求項２】
前記音声メッセージ登録部は、複数種類の応対用の音声メッセージが登録されており、前記第２の信号処理部は、動作モードが前記防犯モードに設定されている状態において、応対用の音声メッセージを前記音声出力装置から出力させてから規定時間の経過後にも前記屋外側人感センサ部で発生した検出信号を受信しているときには、異なる応対用の音声メッセージを前記音声出力装置から出力させることを特徴とする請求項１記載の照明制御システム。
【発明の詳細な説明】
【技術分野】
【０００１】
本発明は、規定の検知エリア内の人の存在を検出して照明負荷の状態を制御する照明制御システムに関するものである。
【背景技術】
【０００２】
従来から、図４に示すように、人体から放射される熱線を検知することにより検知エリア内の人の存否を検出する人感センサ部をそれぞれ有する親器１００と子器２００とを信号線Ｌｓ’を介して接続し、親器１００に接続された照明器具Ｌの照明負荷の状態を各人感センサ部の検出信号に基づいて制御する照明制御システムが知られている（例えば、特許文献１参照）。なお、図４に示した例では、いわゆる送り配線が可能な複数の子器２００を備えており、子器２００間は送り配線により接続されている。また、図４に示した照明制御システムでは、親器１００と照明器具Ｌとの間に操作ユニット３００が挿入されており、操作ユニット３００は、照明器具Ｌの照明負荷を強制的にオンにする連続入モードと、照明器具Ｌの照明負荷を強制的にオフにする連続切モードと、人感センサ部の出力に基づいて照明器具Ｌの照明負荷をオンオフする自動モードとを選択可能とする操作部を備えており、操作部により連続入モードを選択すれば照明負荷がオン（点灯）し、操作部により連続切モードを選択すれば照明負荷がオフ（消灯）し、自動モードを選択すれば親器１００が各人感センサ部の出力に基づいて照明負荷を制御することになる。
【０００３】
この種の照明制御システムでは、親器１００が電源線Ｌｐ’を介して商用電源ＡＣに接続され、子器２００に設けた人感センサ部により人が検出されると子器２００で発生した検出信号が信号線Ｌｓ’を介して親器１００に伝送されるように構成されており、親器１００は、当該親器１００に設けた人感センサ部により人が検出されるか子器２００から信号線Ｌｓ’を介して伝送される検出信号を受信すると、商用電源と照明器具Ｌとの間に挿入されているスイッチ要素を制御して商用電源から照明器具Ｌへ給電させることで照明負荷をオンさせる。
【０００４】
したがって、例えば、図５に示すように、照明器具Ｌを玄関の屋内側で天井面Ｚに配置するとともに、親器１００を玄関の屋内側で壁面Ｙに配置し、子器２００を玄関の屋外側で軒下面Ｘに配置しておけば、親器１００の人感センサ部と子器２００の人感センサ部とのどちらで人が検知されても玄関の屋内側の照明器具Ｌの照明負荷を点灯させることができるので、家人が不在のときに子器２００の人感センサ部の検知エリアＥ内に人が入って検知された場合でも玄関の屋内側の照明器具Ｌの照明負荷が点灯することとなり、不審者に対してはあたかも家人が居るかのような印象を与えて威嚇することができる。さらに、家人が在宅しているときにも、親器１００の人感センサ部により家人が検知された場合に玄関の屋内側の照明器具Ｌの照明負荷が点灯するから、不審者に対する威嚇効果が得られる。
【０００５】
また、従来から、周囲の明るさを検出する明るさセンサ部および人感センサ部を有し図６（ａ）に示すように玄関の屋外側で外壁面Ｗに配置されるポーチライトのような照明器具Ｌ１’と、人感センサ部を有し玄関の屋内側で天井面Ｚに配置されるシーリングライトのような照明器具Ｌ２’とを、図７に示すように信号線Ｌｓ”を介して接続し、屋外側の照明器具Ｌ１’に設けた人感センサ部により人が検知されたときに屋外側の照明器具Ｌ１と屋内側の照明器具Ｌ２’とを連動制御することができるように構成された照明制御システムが知られている。
【０００６】
この照明制御システムでは、照明器具Ｌ１’の照明負荷を強制的にオンにする連続点灯モードと、明るさセンサ部により検出された明るさが閾値よりも小さくなると照明器具Ｌ１’の照明負荷を減光点灯（調光点灯）させておき照明器具Ｌ１’の人感センサ部により人が検出されると照明器具Ｌ１’の照明負荷を定格点灯させる通常モード（お出迎えモード）と、屋外側の照明器具Ｌ１’に設けた人感センサ部により人が検知されたときに各照明器具Ｌ１’，Ｌ２’それぞれの照明負荷を同時に点灯させる防犯モードとを選択するための専用のリモコン装置（図示せず）を備えている。したがって、防犯モードが設定されている状態で、屋外側の照明器具Ｌ１’の人感センサ部により人が検知されると、屋外側の照明器具Ｌ１’の照明負荷と屋内側の照明器具Ｌ２の照明負荷とが同時に点灯するので、不審者に対してはあたかも家人が居るかのような印象を与えて威嚇することができるのである。なお、図７に示した照明制御システムでは、屋外側の照明器具Ｌ１’の照明負荷を強制的にオンオフするための配線器具であって壁面に一部を埋め込んだ形で取り付けられるスイッチＦを屋外側の照明器具Ｌ１’と商用電源ＡＣとの間に挿入し、屋内側の照明器具Ｌ２’の照明負荷を強制的にオンオフするための配線器具であって壁面に一部を埋め込んだ形で取り付けられるスイッチＧを屋内側の照明器具Ｌ２’と商用電源ＡＣとの間に挿入してある。
【０００７】
また、従来から、玄関の屋外側に設けたセンサにより人体を検知したときに玄関の屋内側に配置された照明器具を遅れて点灯させるとともに警報ブザーを鳴動させるように構成された防犯システムが提案されている（例えば、特許文献２参照）。
【特許文献１】特開２００２−２８９３７５号公報
【特許文献２】特開２００４−２８０１７５号公報
【発明の開示】
【発明が解決しようとする課題】
【０００８】
ところで、図５、図７に示した照明制御システムでは、玄関の屋外側の人感センサ部にて人が検知されると直ちに屋内側の照明器具Ｌ’、Ｌ２’が点灯するので、屋外側の人感センサ部の検知結果に応じて屋内側の照明器具Ｌ’、Ｌ２’が点灯したことが分かりやすく、留守時において家人の不在を不審者にさとられやすいという懸念があった。
【０００９】
また、上記特許文献２に開示された防犯システムでは、警報ブザーが鳴動することにより不審者に対する威嚇効果は大きくなるものの、家人の帰宅時や客の来訪時には家人や客に不快感を与える恐れがあるとともに、隣り近所の迷惑となってしまう。
【００１０】
本発明は上記事由に鑑みて為されたものであり、その目的は、家人が不在のときに玄関の屋外側に近づいた不審者に対して従来に比べて家人の不在をさとられにくくすることができ、且つ、家人の帰宅時や客の来訪時に家人や客に不快感を与えにくい照明制御システムを提供することにある。
【課題を解決するための手段】
【００１１】
請求項１の発明は、玄関の屋外側に配置される屋外側照明負荷と、玄関の屋内側に配置される屋内側照明負荷と、屋外側照明負荷を駆動する第１の出力駆動部と、玄関の屋外側で規定の検知エリア内の人の存在を検出して検出信号を発生する屋外側人感センサ部と、屋外側人感センサ部の出力に基づいて第１の出力駆動部を制御する第１の信号処理部と、屋内側照明負荷を駆動する第２の出力駆動部と、玄関の屋内側で規定の検知エリア内の人の存在を検出して検出信号を発生する屋内側人感センサ部と、屋外側人感センサ部および屋内側人感センサ部の出力に基づいて第２の出力駆動部を制御する第２の信号処理部と、玄関の屋内側で音声を出力する音声出力装置と、応対用の音声メッセージを予め登録する音声メッセージ登録部とを備え、第２の信号処理部は、動作モードが防犯モードに設定されている状態において、屋外側人感センサ部で発生した検出信号を受信したときの機能として、所定の遅れ時間後に第２の出力駆動部を制御して屋内側照明負荷を点灯させる機能と、音声メッセージ登録部に登録されている応対用の音声メッセージを音声出力装置から出力させる機能とを有することを特徴とする。
【００１２】
この発明によれば、第２の信号処理部の動作モードが防犯モードに設定されている状態において、不審者が屋外側人感センサ部の検知エリア内に入って検出信号が発生すると、所定の遅れ時間後に屋内側照明負荷が点灯し、しかも、音声メッセージ登録部に予め登録されている応対用の音声メッセージが音声出力装置から出力されるので、家人が不在のときに玄関の屋外側に近づいた不審者に対して従来のように不審者が屋外側人感センサ部の検知エリア内に入ったときに屋内側照明負荷が直ちに点灯する場合に比べて、家人の在宅を演出する演出効果が高くなって家人の不在をよりさとられにくくすることが可能となり、しかも、従来のように警報ブザーが鳴動する防犯システムに場合に比べて、家人の帰宅時や客の来訪時に家人や客に不快感を与えにくくなる。
【００１３】
請求項２の発明は、請求項１の発明において、前記音声メッセージ登録部は、複数種類の応対用の音声メッセージが登録されており、前記第２の信号処理部は、動作モードが前記防犯モードに設定されている状態において、応対用の音声メッセージを前記音声出力装置から出力させてから規定時間の経過後にも前記屋外側人感センサ部で発生した検出信号を受信しているときには、異なる応対用の音声メッセージを前記音声出力装置から出力させることを特徴とする。
【００１４】
この発明によれば、複数種類の音声メッセージが時間をあけて前記音声出力装置から出力されるので、不審者に対して、家人の不在をより一層さとられにくくすることが可能となる。
【発明の効果】
【００１５】
請求項１の発明では、家人が不在のときに玄関の屋外側に近づいた不審者に対して従来に比べて家人の不在をさとられにくくすることができ、且つ、家人の帰宅時や客の来訪時に家人や客に不快感を与えにくくすることができるという効果がある。
【発明を実施するための最良の形態】
【００１６】
（実施形態１）
本実施形態の照明制御システムは、図１および図２に示すように、２つの人感式自動スイッチＡ，Ｂを備え、各人感式自動スイッチＡ，Ｂにそれぞれ照明負荷を含む照明器具Ｌ１，Ｌ２が電源線Ｌｐ，Ｌｐを介して接続されている。ここにおいて、人感式自動スイッチＡおよび照明器具Ｌ１は例えば玄関の屋外側で軒下面Ｘに取付けられ、人感式自動スイッチＢは玄関の屋内側で壁面Ｙに取り付けられ、照明器具Ｌ２は玄関の屋内側で天井面Ｚに取り付けられる。なお、本実施形態では、照明器具Ｌ１の照明負荷が玄関の屋外側に配置される屋外側照明負荷を構成し、照明器具Ｌ２の照明負荷が玄関の屋内側に配置される屋内側照明負荷を構成している。ここで、人感式自動スイッチＡおよび照明器具Ｌ１は、玄関の屋外側であれば軒下面Ｘに取り付けられるものに限らず、例えば、外壁面に取り付けられるものでもよい。
【００１７】
各人感式自動スイッチＡ，Ｂは、人体からの熱線を検出する焦電型赤外線センサ（以下、焦電センサという）１１ａ，１１ｂを用いた人感センサ部１ａ，１ｂと、ＣｄＳやフォトダイオードを用いた明るさセンサ２１ａ，２１ｂにより周囲の明るさを検出する明るさセンサ部２ａ，２ｂと、人感センサ部１ａ，１ｂの出力および明るさセンサ部２ａ，２ｂの出力が入力されるマイクロコンピュータを主構成とする信号処理部３ａ，３ｂとを備えている。なお、本実施形態では、人感センサ部１ａが屋外側人感センサ部を構成し、人感センサ部１ｂが屋内側人感センサ部を構成し、信号処理部３ａが第１の信号処理部を構成し、信号処理部３ｂが第２の信号処理部を構成している。
【００１８】
人感センサ部１ａ，１ｂは、焦電センサ１１ａ，１１ｂの出力を増幅する増幅部１２ａ，１２ｂと、増幅部１２ａ，１２ｂからの出力が基準値よりも大きいときにトリガ信号（検出信号）を出力するコンパレータ１３ａ，１３ｂとを備えており、コンパレータ１３ａ，１３ｂから出力されたトリガ信号が信号処理部３ａ，３ｂへ入力される。信号処理部３ａ，３ｂは人感センサ部１ａ，１ｂの一部を構成するタイマ部を含み、タイマ部ではトリガ信号が入力されるたびに所定の保持時間を時限する。つまり、タイマ部はリトリガラブルであり、トリガ信号が入力されて保持時間を時限している間に次のトリガ信号が入力されると、そのトリガ信号からあらためて保持時間を時限する。したがって、焦電センサ１１ａ，１１ｂに対応して設定された検知エリア内に人が存在し、保持時間の時限中に人の動きがあればタイマ部は時限動作を継続することになり、このようにタイマ部が時限動作を継続している期間は人が検知エリア内に存在する期間とみなすことができるから、信号処理部３ａ，３ｂの内部ではタイマ部が時限動作を継続している期間を表す信号を人体検知信号として発生させる。
【００１９】
明るさセンサ部２ａ，２ｂは、明るさセンサ２１ａ，２１ｂの出力を増幅する増幅部２２ａ，２２ｂと、増幅部２２ａ，２２ｂからの出力が閾値よりも大きいときにハイレベルの信号（以下、明状態信号と称す）を出力する一方で閾値以下のときにローレベルの信号（以下、暗状態信号と称す）を出力するコンパレータ２３ａ，２３ｂとを備えており、コンパレータ２３ａ，２３ｂの出力が信号処理部３ａ，３ｂへ入力される（なお、閾値は２段階に設定されており、一方の閾値は周囲が明るい状態から暗い状態に移行したことを検知する暗移行閾値であり、他方は周囲が暗い状態から明るい状態に移行したことを検知する明移行閾値であって、明移行閾値は暗移行閾値よりも明るい側に設定してある）。
【００２０】
人感センサ部１ａ，１ｂおよび明るさセンサ部２ａ，２ｂおよび信号処理部３ａ，３ｂおよび後述のスピーカ６ｂには電源回路４ａ，４ｂを通して商用電源ＡＣから電力が供給される。つまり、電源回路４ａ，４ｂには商用電源ＡＣに接続するための各一対の電源端子Ｔ１ａ，Ｔ１ｂが接続されている。
【００２１】
信号処理部３ａ，３ｂでは、上述した人体検知信号と明状態信号ないし暗状態信号とを組み合わせることによって出力駆動部５ａ，５ｂを制御する。出力駆動部５ａ，５ｂは、商用電源ＡＣから照明負荷を含む照明器具Ｌ１，Ｌ２への給電経路に挿入されるスイッチ要素を含むものであり、スイッチ要素の状態が信号処理部３ａ，３ｂからの制御信号により制御される。
【００２２】
出力駆動部５ａ，５ｂに含まれるスイッチ要素の一端は電源回路４ａ，４ｂを通して電源端子Ｔ１ａ，Ｔ１ｂに接続され、スイッチ要素の他端は負荷端子Ｔ２ａ，Ｔ２ｂに接続されている。したがって、商用電源ＡＣと照明器具Ｌ１，Ｌ２との給電経路となる電源線Ｌｐ，Ｌｐは、商用電源ＡＣと各一対の電源端子Ｔ１ａ，Ｔ１ｂとの間、照明器具Ｌ１，Ｌ２と負荷端子Ｔ２ａ，Ｔ２ｂとの間をそれぞれ接続することになる。照明器具Ｌ１の照明負荷としては白熱灯などの調光点灯可能な照明負荷を用い、照明器具Ｌ２の照明負荷とは蛍光灯を用いており、出力駆動部５ａに含まれるスイッチ要素はトライアック、出力駆動部５ｂに含まれるスイッチ要素はリレー接点となっている。また、信号処理部３ａは、出力駆動部５ａのスイッチ要素であるトライアックを位相制御し照明器具Ｌ１への供給電力を調整することによって照明器具Ｌ１の照明負荷の光出力を制御でき、照明器具Ｌ１の照明負荷を定格点灯させる場合と調光点灯（減光点灯）させる場合とがある。
【００２３】
ここにおいて、人感式自動スイッチＡは、信号処理部３ａの動作モードとして、人感センサ部１ａの出力と明るさセンサ部２ａの出力と予め設定されているお出迎え時間とに基づいて照明器具Ｌ１の照明負荷の状態を制御するお出迎えモード、照明器具Ｌ１の照明負荷を強制的にオフ（消灯状態）に保つ切モード、照明器具Ｌ１の照明負荷を強制的にオン（定格点灯状態）に保つ連続入モードなどを外部の専用操作ユニットにより設定することができるように構成されている。そして、信号処理部３ａは、動作モードがお出迎えモードに設定されている場合には、人感式自動スイッチＡの周囲が暗くなって明るさセンサ部２ａの出力が明状態信号から暗状態信号へ変化すると、人感センサ部１ａの出力とは無関係に照明器具Ｌ１の照明負荷を定格点灯時の１０％の光出力となるように調光点灯させるとともに内部の時限手段によりお出迎え時間の時限を開始し、お出迎え時間の時限が終了すると照明器具Ｌ１の照明負荷を消灯させる。ここにおいて、人感式自動スイッチＡの周囲が暗い場合、信号処理部３ａは、お出迎え時間の経過前、経過後にかかわらず、人感センサ部１ａからのトリガ信号が入力されると照明器具Ｌ１の照明負荷を定格点灯状態へ移行させ、上記人体検知信号が発生している間は照明器具Ｌ１の照明負荷が定格点灯状態に保たれるように出力駆動部５ａのスイッチ要素を制御する。したがって、お出迎え時間を予め設定しておけば、周囲が暗くなると、屋外側の照明器具Ｌ１の照明負荷が調光点灯され、お出迎え時間の時限中は屋外側の照明器具Ｌ１の照明負荷を点灯させておくことができるから、家人や訪問客を屋外側の照明器具Ｌ１の照明負荷の照明光によってお出迎えすることができ、且つ、家人や訪問客を人感センサ部１ａにより検知する以前から屋外側の照明器具Ｌ１の照明負荷が調光点灯されているので、家人や訪問客が眼の眩みを起こしたり驚いたりするのを防止することが可能になり、さらに、お出迎え時間以外であって周囲が暗い場合には人感センサ部１ａにより人が検知されると屋外側の照明器具Ｌ１の照明負荷が直ちに定格点灯されるので防犯を図れる。なお、人感式自動スイッチＡに、上述の動作モードを設定するモード切換スイッチやお出迎え時間を設定するお出迎え時間設定部（例えば、可変抵抗器など）を設けて信号処理部３ａに接続してもよい。
【００２４】
ところで、本実施形態の照明制御システムは、屋外側の照明器具Ｌ１と屋内側の照明器具Ｌ２とを各別に制御することができるとともに、屋内側の照明器具Ｌ２が屋外側の照明器具Ｌ１に連動するように屋内側の照明器具Ｌ２を制御することできるように構成してある。すなわち、人感式自動スイッチＡの信号処理部３ａには一対の信号出力用端子Ｔ３ａが接続され、人感式自動スイッチＢの信号処理部３ｂには一対の信号入力用端子Ｔ３ｂが接続されており、人感式自動スイッチＡの一対の信号出力用端子Ｔ３ａと人感式自動スイッチＢの一対の信号入力用端子Ｔ３ｂとが２線式の信号線Ｌｓを介して接続されている。したがって、屋内側の人感式自動スイッチＢの信号処理部３ｂには、屋外側の人感式自動スイッチＡの人感センサ部１ａの検出信号が信号線Ｌｓを介して入力されるようになっている。
【００２５】
さらに、人感式自動スイッチＢは、照明器具Ｌ２の照明負荷を強制的にオフ（消灯状態）に保つ切モードと、人感センサ部１ｂの出力と明るさセンサ部２ｂの出力とに基づいて照明器具Ｌ２の照明負荷のオンオフを行う自動モードと、人感センサ部１ａ，１ｂの出力と明るさセンサ部２ｂの出力とに基づいて照明器具Ｌ２の照明負荷のオンオフを行う防犯モードと、照明器具Ｌ２の照明負荷を強制的にオン（定格点灯状態）に保つ連続入モードとの４モードを選択可能なスライド式のスイッチからなるモード切替スイッチ（図示せず）を信号処理部３ｂに接続してあり、モード切替スイッチの操作部４３（図３参照）が器体４０（図３参照）の前面側に露出している。したがって、家人が玄関の屋内側で操作部４３を容易に操作することができ、例えば、外出時に防犯モードに設定したい場合などに操作部４３を操作し、帰宅後に自動モードに設定すればよい。なお、器体４０の前面には、図３（ｂ）に示すように、操作部４２が上述の４モードのいずれを設定している位置にあるかをか示す「切」、「自動」、「防犯」、「連続入」の表記がなされている。
【００２６】
ここにおいて、信号処理部３ｂは、動作モードが防犯モードに設定されている状態において、屋外側人感センサ部で発生したトリガ信号（検出信号）を受信したときの機能として、所定の遅れ時間後に出力駆動部５ｂを制御して照明器具Ｌ２の照明負荷を点灯させる機能を有している。なお、信号処理部３ｂの内部には、上述の保持時間を時限するためのタイマ部（以下、保持用タイマ部と称す）とは別に上記遅れ時間を時限するためのタイマ部（以下、遅延用タイマ部と称す）を備えている。
【００２７】
人感式自動スイッチＢの器体４０は、ＪＩＳ規格で規格化されている大角形連用配線器具の３個用の取付枠に取り付けることができる大角形連用配線器具の３個モジュール寸法に形成されている。つまり、器体４０は、埋込型の配線器具用の取付枠に３個まで連設して取り付けることができる単位寸法の埋込型の配線器具の３個分に相当する寸法に形成されている。したがって、取付枠に対して器体４０を１個だけ取り付けることが可能である。図３（ａ）では取付枠の前面側に、取付枠における器具取付用の窓孔よりも長寸且つ幅広の開口窓を備えるプレート５０を重ね合わせて配置した状態を示してある。ここにおいて、プレート５０は、取付枠の前面側に取り付けられるプレート枠と、プレート枠の前面側に取り付けられる化粧プレートとで構成されている。なお、器体４０の前面側には、焦電センサ１１ｂの検知エリアおよび明るさセンサ２１ｂの検知エリアを設定する受光光学系である受光レンズ４５が配設されている。
【００２８】
また、人感式自動スイッチＢの器体４０内には、玄関の屋内側で音声を出力する音声出力装置を構成するスピーカ６ｂが配設されており、信号処理部３ｂは、応対用の音声メッセージを予め登録する音声メッセージ登録部として、音声を録音可能なメモリ（図示せず）を備えており、防犯モードが設定されている状態において、屋外側の人感式自動スイッチＡの人感センサ部１ａから出力されたトリガ信号（検出信号）が入力されたときの機能として、上記メモリに登録されている応対用の音声メッセージをスピーカ６ｂから出力させる機能を有している。
【００２９】
音声メッセージは、予め、第１の音声メッセージとして「お帰り」という音声メッセージが登録され、第２の音声メッセージとして「どなた」という音声メッセージが登録されているが、登録する音声メッセージの数は２つに限定するものではなく、音声メッセージも「お帰り」、「どなた」に限定するものではなく、家人の帰宅時や来客時などに応対する際の言葉であればよい。なお、人感式自動スイッチＢにマイクなどの音声入力装置を設けて、家人の音声メッセージを録音して登録できるように構成してもよい。
【００３０】
以下に、各人感式自動スイッチＡ，Ｂの信号処理部３ａ，３ｂそれぞれの動作をまとめて説明する。
【００３１】
屋外側に配置される人感式自動スイッチＡの信号処理部３ａは、上述したように、動作モードとしてお出迎えモードが設定されている場合、明るさセンサ部２ａから出力される明状態信号および暗状態信号と、人感センサ部１ａから出力されるトリガ信号（検出信号）との組み合わせによって、出力駆動部５ａを制御するように構成されている。
【００３２】
ここで、動作モードとしてお出迎えモードが設定されている場合、明るさセンサ部２ａから明状態信号が発生している期間は、人感センサ部１ａの出力には関係なく出力駆動部５ａのスイッチ要素をオフにし、照明器具Ｌ１の照明負荷を消灯させておく。したがって、昼間のように周囲が明るく照明器具Ｌ１を点灯させる必要がない期間には、照明器具Ｌ１を消灯させた状態に保つ。
【００３３】
一方、明るさセンサ部２ａから暗状態信号が発生している期間には、出力駆動回路５ａが商用電源ＡＣから照明器具Ｌ１に電源を供給する状態になって照明器具Ｌ１が点灯する。ここで、お出迎え時間の時限が終了するまでの期間であって人体検知信号が発生していない期間には信号処理部３ａは減光点灯を指示する制御信号を出力駆動部５ａに与え、照明器具Ｌ１の照明負荷を減光点灯させる。また、人感センサ部１ａで検出信号が発生すると、信号処理部３ａは定格点灯を指示する制御信号を出力駆動部５ａに与え、照明器具Ｌ１の照明負荷を定格点灯させる。ここにおいて、定格点灯の状態は上述の人体検知信号が発生している期間だけ継続される。信号処理部３ａは、お出迎え時間の時限中に人体検知信号が発生しなくなれば（保持用タイマ部の時限が終了すると）、出力駆動部５ａに減光点灯を指示する制御信号を与え、照明器具Ｌ１の照明負荷は再び減光点灯に戻る。このように、明るさセンサ部２ａから暗状態信号が発生している期間には、人体検知信号の発生期間にのみ照明器具Ｌ１の照明負荷が定格点灯となり、お出迎え時間の時限中の人体検知信号の非発生期間には照明器具Ｌ１の照明負荷が減光点灯となる。
【００３４】
上述したように、屋外側の人感式自動スイッチＡの信号処理部３ａは、お出迎えモードが設定されている場合、周囲が暗くなると照明器具Ｌ１を点灯させ、人が人感センサ部１ａの検知エリアに存在する期間には照明器具Ｌ１の照明負荷を定格点灯とし、人が検知エリアに存在しない期間には、お出迎え時間の時限中であれば照明器具Ｌ１の照明負荷を減光点灯とし、お出迎え時間の時限後であれば照明器具Ｌ１の照明負荷を消灯状態とするのである。
【００３５】
これに対して、屋内側に配置される人感式自動スイッチＢの信号処理部３ｂは、自動モードが設定されている場合には、明るさセンサ部２ｂから出力される明状態信号および暗状態信号と、人感センサ部１ｂから出力されるトリガ信号（検出信号）との組み合わせによって、出力駆動部５ｂを制御するように構成され、防犯モードが設定されている場合には、明るさセンサ部２ｂから出力される明状態信号および暗状態信号と、人感センサ部１ａ，１ｂから出力されるトリガ信号（検出信号）との組み合わせによって、出力駆動部５ｂを制御するように構成されている。
【００３６】
ここで、信号処理部３ｂは、動作モードとして自動モードが設定されている場合、明るさセンサ部２ｂから明状態信号が発生している期間は、人感センサ部１ｂの出力には関係なく出力駆動部５ｂのスイッチ要素をオフにし、照明器具Ｌ２の照明負荷を消灯させておく。したがって、昼間のように周囲が明るく照明器具Ｌ２を点灯させる必要がない期間には、照明器具Ｌ２を消灯させた状態に保つ。
【００３７】
一方、明るさセンサ部２ｂから暗状態信号が発生している期間には、人感センサ部１ｂの検出信号で人体検知信号が発生している期間のみ信号処理部３ｂはスイッチ要素のオン（つまり、照明負荷の点灯）を指示する制御信号を出力駆動部５ｂに与え、照明器具Ｌ２の照明負荷を点灯させる。ここにおいて、屋内側の照明器具Ｌ２の照明負荷の点灯状態は上述の人体検知信号が発生している期間だけ継続される。信号処理部３ｂは、人体検知信号が発生しなくなれば（保持用タイマ部の時限が終了すると）、出力駆動部５ｂにスイッチ要素のオフ（つまり、照明負荷の消灯）を指示する制御信号を与え、照明器具Ｌ２の照明負荷を消灯させる。このように、明るさセンサ部２ｂから暗状態信号が発生している期間には、人体検知信号の発生期間にのみ照明器具Ｌ２の照明負荷が点灯されることとなる。
【００３８】
また、信号処理部３ｂは、動作モードとして防犯モードが設定されている場合、屋外側の人感式自動スイッチＡの人感センサ部１ａで発生した検出信号が入力されると、明るさセンサ部２ｂの出力には関係なく上記遅延用タイマ部による遅れ時間の時限後に、スイッチ要素のオン（つまり、屋内側の照明器具Ｌ２の照明負荷の点灯）を指示する制御信号を出力駆動部５ｂに与えて、照明器具Ｌ２の照明負荷を点灯させ、人体検知信号が発生しなくなれば（保持用タイマ部の時限が終了すると）、出力駆動部５ｂにスイッチ要素のオフ（つまり、照明負荷の消灯）を指示する制御信号を与え、照明器具Ｌ２の照明負荷を消灯させる。また、信号処理部３ｂは、防犯モードが設定されている場合、屋内側の人感式自動スイッチＢの人感センサ部１ｂで発生した検出信号が入力されると、明るさセンサ部２ｂの出力には関係なくスイッチ要素のオン（つまり、屋内側の照明器具Ｌ２の照明負荷の点灯）を指示する制御信号を出力駆動部５ｂに与えて照明器具Ｌ２の照明負荷を点灯させ、人体検知信号が発生しなくなれば（保持用タイマ部の時限が終了すると）、出力駆動部５ｂにスイッチ要素のオフ（つまり、照明負荷の消灯）を指示する制御信号を与え、照明器具Ｌ２の照明負荷を消灯させる。
【００３９】
さらに、信号処理部３ｂは、動作モードとして防犯モードが設定されている場合、屋外側の人感式自動スイッチＡの人感センサ部１ａで発生した検出信号が入力されると、第１の音声メッセージ（ここでは、「お帰り」）をスピーカ６ｂから出力させ、当該出力時から規定時間（例えば、３０秒〜５分の範囲内で適宜設定すればよい）の経過後にも人感センサ部１ｂで発生した検出信号を受信しているときには、第１の音声メッセージとは異なる第２の音声メッセージ（ここでは、「どなた」）をスピーカ６ｂから出力させ、異なる応対用の音声メッセージを前記音声出力装置から出力させ、当該出力時から規定時間の経過後にも人感センサ部１ｂで発生した検出信号を受信しているときには、第２の音声メッセージとは異なる音声メッセージ（ここでは、第１の音声メッセージ）を出力させる。なお、最初に第１の音声メッセージをスピーカ６ｂから出力させるタイミングは、照明器具Ｌ２の照明負荷を点灯させるタイミングと同期させてもよいし、ずらしてもよい。
【００４０】
以上説明した本実施形態の照明制御システムでは、上述のように、屋内側の人感式自動スイッチＢの信号処理部３ｂが、防犯モードに設定されている状態において、屋外側の人感式自動スイッチＡの人感センサ部１ａで発生した検出信号を受信したときの機能として、所定の遅れ時間後に出力駆動部５ｂを制御して屋内側の照明器具Ｌ２の照明負荷を点灯させる機能と、上記メモリに予め登録されている応対用の音声メッセージをスピーカ６ｂから出力させる機能とを有している。
【００４１】
しかして、本実施形態の照明制御システムでは、信号処理部３ｂの動作モードが防犯モードに設定されている状態において、不審者が屋外側の人感式自動スイッチＡの人感センサ部１ａの検知エリア内に入って検出信号が発生すると、所定の遅れ時間後に屋内側の照明器具Ｌ２の照明負荷が点灯し、しかも、上記メモリに予め登録されている応対用の音声メッセージがスピーカ６ｂから出力されるので、家人が不在のときに玄関の屋外側に近づいた不審者に対して従来のように不審者が屋外側の人感センサ部の検知エリア内に入ったときに屋内側の照明負荷が直ちに点灯する場合に比べて、家人の在宅を演出する演出効果が高くなって家人の不在をよりさとられにくくすることが可能となり、しかも、従来のように警報ブザーが鳴動する防犯システムに場合に比べて、家人の帰宅時や客の来訪時に家人や客に不快感を与えにくくなるという利点がある。
【００４２】
しかも、上記メモリには複数種類の応対用の音声メッセージが登録されており、信号処理部３ｂは、動作モードが防犯モードに設定されている状態において、応対用の音声メッセージをスピーカ６ｂから出力させてから規定時間の経過後にも屋外側の人感センサ部１ａで発生した検出信号を受信しているときには、異なる応対用の音声メッセージをスピーカ６ｂから出力させるので、家人の不在をより一層さとられにくくすることが可能となる。
【図面の簡単な説明】
【００４３】
【図１】実施形態を示すブロック図である。
【図２】同上の使用形態の説明図である。
【図３】同上における屋内側の人感式自動スイッチを示し、（ａ）は使用形態の概略外観図、（ｂ）は（ａ）の要部拡大図である。
【図４】従来例のシステム構成図である。
【図５】同上の使用形態の説明図である。
【図６】他の従来例の使用形態の説明図である。
【図７】同上の概略構成図である。
【符号の説明】
【００４４】
Ａ，Ｂ  人感式自動スイッチ
Ｌ１，Ｌ２  照明器具
Ｌｐ  電源線
Ｌｓ  信号線
１ａ，１ｂ  人感センサ部
２ａ，２ｂ  明るさセンサ部
３ａ，３ｂ  信号処理部
４ａ，４ｂ  電源回路
５ａ，５ｂ  出力駆動部
６ｂ  スピーカ
【図１】
2006179310.tif 000003
【図２】
2006179310.tif 000004
【図３】
2006179310.tif 000005
【図４】
2006179310.tif 000006
【図５】
2006179310.tif 000007
【図６】
2006179310.tif 000008
【図７】
2006179310.tif 000009